(57)【要約】【課題】  ディスクを載置して搬入・搬出する為のトレイを備えたディスク装置であって、トレイの横揺れを抑えると共に、一方ではトレイの反りを無くしてディスク装置の薄型化を図ることが出来るトレイの横揺れ防止機構を備えたディスク装置の提供。【解決手段】  トレイ２１の底面にはトレイ２１の搬送方向に直交する方向へ摺動可能なラックローディング２５から起立するカムロッドボスが遊嵌するカム溝を形成している。このカム溝は概略Ｌ形をした第１カム溝２３とトレイ後端部に湾曲して設けた第２カム溝２４を有し、上記第１カム溝２３はトレイ２１を搬送する為のラックギア２２とは反対側に形成されると共にラックローディング２５から起立する第１カムロッドボス２６が係合し、第２カム溝２４はラックギア側に設けると共にラックローディング２５から起立する第２カムロッドボス２７が係合する。【選択図】    図１
2006155731.tif 000002
【特許請求の範囲】
【請求項１】
ディスクを載置して搬入・搬出する為のトレイを備えたディスク装置において、該トレイの底面にはトレイの搬送方向に直交する方向へ摺動可能なラックローディングから起立するカムロッドボスが遊嵌するカム溝を形成し、該カム溝は概略Ｌ形をした第１カム溝とトレイ後端部に湾曲して設けた第２カム溝を有し、上記第１カム溝はトレイを搬送する為にモーターにて駆動されるピニオンギアが噛合うラックギアとは反対側に形成されると共にラックローディングから起立する第１カムロッドボスが係合し、第２カム溝はラックギア側に設けると共にラックローディングから起立する第２カムロッドボスが係合することを特徴とするトレイの横揺れ防止機構を備えたディスク装置。
【請求項２】
上記概略Ｌ形の第１カム溝における縦カム溝を、一方側リブのみで形成した請求項１記載のトレイの横揺れ防止機構を備えたディスク装置。
【請求項３】
上記トレイの後端部に凹部を形成した請求項１、又は請求項２記載のトレイの横揺れ防止機構を備えたディスク装置。
【発明の詳細な説明】
【技術分野】
【０００１】
本発明はトレイがディスク交換位置へ搬送されたオープン状態での横揺れを抑制する機構を備えたディスク装置に関するものである。
【背景技術】
【０００２】
ＤＶＤなどのディスクにデータを記録する場合、又記録されているデータを再生する場合、ディスク記録再生装置が使用され、ターンテーブルにディスクを載置して高速回転する。そしてディスク上の情報トラックに情報読み取り用ビームが追従するようにトラッキング制御を行うと共に、情報トラックに正確にビームスポットを形成するようにフォーカス制御を行い、確実に情報の記録・再生が行われる。
【０００３】
ところで、ディスクをターンテーブルに載置するには、搬送スライドされるトレイが使用される場合が多く、キャビネットのフロントパネルからスライドして突出するトレイにディスクを載せた状態で、該トレイが後退して上記ターンテーブルに載置される。トレイはフロントパネルに形成した開口から出入りすることが出来る。
【０００４】
該トレイはディスク装置に設けているガイドレールに沿ってスライドすることが出来るように、モーターで回転するピニオンギアがトレイのラックギアと噛み合い、ディスクをセットしたり、逆に取外す場合には該トレイが搬出されてオープン状態となり、セットされたディスクはトレイが閉じることでディスク装置の内部に収容される。そして、ディスクを再生する時にはトラバースユニットが上昇してトレイに載っているディスクを押上げ、ターンテーブルにクランプした状態でスピンドルモーターが高速回転する。
【０００５】
図８はディスク装置を示している平面図であり、トレイ１が搬出されたオープン状態を示している。トレイ１の上面には円形凹部の浅い段差２が形成されていて、該円形凹部にディスクが嵌ってセットされる。又下面の一方側にはラックギア４が前後方向に設けられ、他方側には概略Ｌ形のカム溝５を設けている。そしてラックギア４にはピニオンギア７が噛み合い、カム溝５にはカムロッドボス８が遊嵌している。
【０００６】
上記ピニオンギア７はモーター９にて回転駆動され、該ピニオンギア７が回転することでラックギア４及びトレイ１は後退して装置内へ搬入される。該トレイ１は定められた距離を前進・後退動することで開閉することになるが、概略Ｌ形のカム溝５はラックギア４と平行を成す縦カム溝１０とラックギア４に対して垂直を成す横カム溝１１、及び縦カム溝１０と横カム溝１１の間に形成されるコーナーカム溝１２から成っている。そして、縦カム溝１０の後方部には湾曲して概略台形に延びた湾曲部１４を形成している。
【０００７】
従って、トレイ１がオープン状態に成る為に前進する場合、縦カム溝１０に遊嵌しているカムロッドボス８が湾曲部１４に差し掛かることで該トレイ１は停止する。又トレイ１が搬入されてクローズする為に後退する場合、縦カム溝１０に遊嵌しているカムロッドボス８がコーナーカム溝１２に差し掛かることで該トレイ１は停止する。すなわち、カム溝５に沿ってカムロッドボス８が動くことで、本体と成るラックローディング１３が左右方向に移動し、このラックローディング１３の移動に伴って図示していないスイッチをＯＮ／ＯＦＦすることによって、トレイ１を駆動するモーターの稼働／停止を行うように構成されている。
【０００８】
トレイ１はフロントパネルに設けているイジェクトボタンを押すことにより、モーター９が起動してピニオンギア７が回転し、ラックギア４を送り出すと共にトレイ１が搬出されてディスク交換位置(オープン状態)にて停止する。逆に、ディスク交換位置にあるトレイ１を装置内のディスク再生位置へ搬入する際には、トレイ先端を押圧して僅かに後退させることで、トレイ１の動きに伴ってラックローディング１３が僅かに左方向へと移動し、図示しないスイッチがラックローディング１３の動きを感知してモーター９が起動し、ピニオンギア７が回転してラックギア４をディスク装置内部へと送り込む。
【０００９】
ところで、搬出されてオープン状態のトレイ１はその後方端部がフレームに設けているガイドに支持されているだけで安定性が悪く、特にモーター９が停止する直前に横振れを発生する。すなわち、ピニオンギア７に噛合ったラックギア４には送り出す方向へ力が働き、一方、縦カム溝１０に係合しているカムロッドボス８が湾曲部１４に差し掛かることで、送り方向とは反対向きに滑り摩擦力が作用する。その結果、トレイには反時計方向のモーメントが発生して該トレイ1の向きが変化する。特開２００３−６９７１号に係る「ディスク装置」は、トレイがディスク交換位置へ移動したときのトレイのガタ付きを小さくしたものである。
【００１０】
上記ディスク装置は、トレイがディスク交換位置へ移動したとき、トレイ後端部に係合してガタ付きのない状態に保持するために、トレイの移動方向に延在形成された係合溝１１４と、該係合溝１１４に係合する係合ピン８３ｂ，８３ｂを設けている。そして、トレイ１２が搬出されてディスク交換位置に成った状態では該係合溝１１４に上記係合ピン８３ｂ，８３ｂが係合すると共に、第２ガイド溝４４にはピン８３ａが係合している。すなわち、２本の係合ピン８３ｂ，８３ｂと１本のピン８３ａの３点にてトレイ１２の横揺れが防止される構造と成っている。
【００１１】
上記ディスク装置のトレイ１２には第２ガイド溝４４の他に、トレイ後端部に係合溝１１４を重複して設けることで該トレイ１２の横揺れ及びガタ付きは抑制されるが、両リブにて形成した係合溝１１４を設けたことでトレイ下側のスペースが少なくなり、部品を配置する空間が制約されてしまい、その分だけディスク装置が厚くなる。
【特許文献１】特開２００３−６９７１号に係るディスク装置
【発明の開示】
【発明が解決しようとする課題】
【００１２】
このように従来のディスク装置では、搬出されてディスク交換位置にあるトレイの横揺れ及びガタ付き防止機構には上記のごとき問題がある。本発明が解決しようとする課題はこの問題点であり、簡単な機構にて搬出状態のトレイの横揺れを抑えると共に、一方ではトレイの反りを無くしてディスク装置の薄型化を図ることが出来るトレイの横揺れ防止機構を備えたディスク装置を提供する。
【課題を解決するための手段】
【００１３】
本発明のディスク装置は、フレームにトレイを搬送する際の駆動モーターと、駆動モーターの動力を伝達するピニオンギアと、駆動モーターの稼働・停止を行うスイッチと連結したラックローディングと、ディスクの読み込み或いはディスクへの書き込みを行うピックアップユニットやディスクを回転させる為に載置するターンテーブルを備えたトラバーユユニットを備えている。
【００１４】
そして、上記トレイの底面にはピニオンギアと噛合うラックギアを一方側に設け、反対側には概略Ｌ形の第１カム溝を、又ラックギア側には第２カム溝を夫々トレイと一体的に形成している。そして、第１カム溝の後方端と第２カム溝の前方端は一部重複してトレイのスライド方向と平行に設けられている。
【００１５】
ラックローディングの上部にはトレイの底面に形成される第１カム溝と第２カム溝に夫々係合する第１カムロッドボス及び第２カムロッドボスを突出して設けている。そして上記第２カム溝はストレートでなく湾曲した形状とし、ラックローディングに設けた第２カムロッドボスが第２カム溝に係合し、トレイのスライドに伴いラックローディングが移動することで駆動モーターのスイッチを動作させることが出来る。
【発明の効果】
【００１６】
このように、本発明のディスク装置のトレイは底面の一方側にラックギアを、反対側には概略Ｌ形の第１カム溝を、さらにラックギア側のトレイ後端部に第２カム溝の位置を夫々バランスして設けることで、該トレイの強度が全体にわたって均一化し、反りの発生を防止することが出来る。このことは、トレイの搬送スライドをスムーズに実現することが出来る。
【００１７】
又、第１カム溝はトレイ後端部では存在せず、その代わりに第２カム溝がその位置をラックギア側に変えてトレイ後方端へ延びている為に、第２カム溝と第１カム溝が完全に重複することはなく、従ってトレイ下方に配置する部品の制約を緩和出来ると共に、ディスク装置の薄型化が可能と成る。一方、第2カム溝がトレイに搬送力を付与するラックギア側に位置することで、湾曲した第２カム溝に係合した第２カムロッドボスとの滑り摩擦に基づいて向きを変えるように働くモーメントは小さく成り、トレイを横振れさせることなくディスク交換位置へと搬出することが出来る。
【実施例】
【００１８】
図1、図２は本発明に係るディスク装置の平面図であり、図１はトレイが搬出されたディスク交換位置にある場合、図2はトレイが装置内部に搬入されている場合を表している。トレイ２１下面の一方側にはラックギア２２が前後方向に設けられ、他方側には概略Ｌ形の第１カム溝２３を設けている。そしてラックギア２２側には第２カム溝２４を有し、これらラックギア２２、第1カム溝２３、及び第２カム溝２４はトレイ２１と一体成形されている。
【００１９】
左右方向へスライドすることでトラバースユニットを上下動する為のラックローディング２５の上部には第１カムロッドボス２６と第２カムロッドボス２７が突出し、第１カムロッドボス２６は第１カム溝２３に係合し、第２カムロッドボス２７は第２カム溝２４に係合する。図２はトレイ２１がディスク装置内部へ搬入されている状態で、この位置から該トレイ２１がディスク交換位置に搬出される場合、モーターにてピニオンギアが回転するならば、噛合っているラックギア２２が移動してトレイ２１がスライドする。
【００２０】
ここで、ラックローディング２５が左方向へ移動してトラバースユニット３０を降下し、同時に第１カム溝２３の横カム溝２８に係合している第１カムロッドボス２６は左側へ移動し、ラックギア２２に噛合っているピニオンギアが回転するならば、トレイ２１は搬出スライドする。そして第１カム溝２３は第１カムロッドボス２６を拘束しながら移動し、縦カム溝２９の後方端にて第１カムロッドボス２６は第１カム溝２３から外れる。それと同時に、第２カムロッドボス２７が第２カム溝２４に係合することに成る。
【００２１】
図３はディスク装置の側部断面図であり、(ａ)はトレイ２１がディスク装置内部へと搬入されている場合、(ｂ)はトレイ２１がディスク交換位置へと搬出されている場合である。トレイ２１が搬入されている場合にはトラバースユニット３０は上昇し、トレイ２１が搬出状態にある時はトラバースユニット３０は降下している。
【００２２】
図３(ａ)は図２に相当し、図３(ｂ)は図１に相当するが、トレイ２１が搬送スライドするときには上記トラバースユニット３０が降下している。そして、トレイ２１が装置内に搬入されたところでトラバースユニット３０が上昇してトレイ２１に載置されたディスクがターンテーブル３２に載置される。
【００２３】
図４はトレイ２１を単独で表した場合であるが、ラックギア２２を一方側に設け、他方側には第１カム溝２３を形成している。そして第２カム溝２４はラックギア２２側に設けている。このように、ラックギア２２と第1カム溝２３及び第2カム溝２４を一方に片寄ることなくトレイ全体にバランスして設けることで、トレイ２１の強度が均一化されると共に成形後の反りを防止することができる。そして、後端部中央には凹部３３を形成している。
【００２４】
このように、トレイ２１に反りがないことで搬送スライドをスムーズに行うことが出来る。そして、第1カム溝２３の後端と第２カム溝２４先端とは互いに重複するように設けられ、しかも第2カム溝２４はストレートではなく湾曲した形状と成っている。そこで、トレイ２１が搬出行程にある場合、第1カム溝２３の後端が第１カムロッドボス２６から離れる前に第２カム溝２４の先端が第２カムロッドボス２７と係合するような位置関係と成っている。
【００２５】
そして、第２カム溝２４は湾曲している為に、トレイ２１がオープン状態に成る手前では、ラックローディング２５が左方向へ移動してスイッチを動作し、トレイ２１が停止するように駆動モーターが制御される。ここで、ピニオンギアの回転によってラックギア２２は送り出される方向へ力が作用し、第２カムロッドボス２７が湾曲した第２カム溝２４へ進入することで、該第２カムロッドボス２７と第２カム溝２４との滑り摩擦によってトレイ２１には反対向きに力が働く。
【００２６】
しかし、第２カム溝２４をラックギア２２側に設けていることで、発生するモーメントは小さく、トレイ２１の向きを変えるほどの影響はない。前記図８に示す従来のトレイ１のごとく、ラックギア４とカム溝５との距離が大きくなれば、カムロッドボス８とカム溝５との滑り摩擦力が同じであっても、発生するモーメントは大きく成って、トレイの向きを変える力となる。
【００２７】
図５(ａ)はトレイ２１が収納されている場合のラックローディング位置での断面図、図５(ｂ)はトレイ２１がディスク交換位置へ搬出された状態でのラックローディング位置での断面図を示している。同図に示すように、第１カム溝２３及び第２カム溝２４はトレイ２１の底面にリブ３５，３５を沿設することで形成される為に、該リブ３５，３５はトレイ２１を補強することが出来、又ラックギア２２もトレイ２１の底面に下方へ突出して形成されることで補強することが出来る。本発明では、これらラックギア２２、第１カム溝２３、及び第２カム溝２４をトレイ全体にバランスして設けている。
【００２８】
図６はトレイ２１を示す別形態であり、第１カム溝２３の形状が前記図４に示したトレイ２１とは違っている。すなわち、縦カム溝２９はなくて一方側にリブ３５を沿設し、しかしコーナーカム溝３１及び横カム溝２８は形成している。すなわち、トレイ自体はフレームに設けているガイドに拘束されて直進スライドし、その為にラックローディング２５が位置ズレすることもなく、縦カム溝２９をなくしても該ラックローディング２５を規制することが出来る。図７はこのトレイをフレームに装着し、該トレイ２１が収納されている場合である。
【図面の簡単な説明】
【００２９】
【図１】トレイがディスク交換位置のオープン状態にあるディスク装置。
【図２】トレイが収納されている状態のディスク装置。
【図３】(ａ)はトレイが収納状態の側部断面図、(ｂ)はトレイがオープン状態の側部断面図。
【図４】トレイの具体例。
【図５】(ａ)はトレイが収納状態にあるラックローディング位置での断面図、(ｂ)はトレイがオープン状態でのラックローディング位置での断面図。
【図６】別のトレイを示す具体例。
【図７】トレイが収納されている状態のディスク装置。
【図８】トレイがオープン状態にある従来のディスク装置。
【符号の説明】
【００３０】
21  トレイ
22  ラックギア
23  第１カム溝
24  第２カム溝
25  ラックローディング
26  第１カムロッドボス
27  第２カムロッドボス
28  横カム溝
29  縦カム溝
30  トラバースユニット
31  コーナーカム溝
32  ターンテーブル
33  凹部
35  リブ
【図１】
2006155731.tif 000003
【図２】
2006155731.tif 000004
【図３】
2006155731.tif 000005
【図４】
2006155731.tif 000006
【図５】
2006155731.tif 000007
【図６】
2006155731.tif 000008
【図７】
2006155731.tif 000009
【図８】
2006155731.tif 000010